(57)【要約】  ＣＤＭＡシステム（例えばＷ−ＣＤＭＡシステム）およびＴＤＭＡシステム（例えばＧＳＭシステム）を受信することができ、少なくとも一つのシステムについて受信ダイバーシティーを備えたダイバーシティー受信機が記述される。Ｗ−ＣＤＭＡは、ＵＭＴＳと称されることが多い。一つの設計において、ダイバーシティー受信器はＧＳＭのための第一の受信器と、ＵＭＴＳのための第二の受信機を含んでいる。第一の受信機は、一つの受信機設計で実現されてよく、ＧＳＭのための仕様に準拠してよく、またＵＭＴＳをサポートしてよい。第二の受信機は、もう一つの受信機設計で実現されてよく、ＵＭＴＳのための仕様に準拠してよく、またＧＳＭをサポートしてよい。第一の受信機は、ＧＳＭおよびＵＭＴＳのために調節可能な帯域幅を有するローパスフィルタを含んでよい。第二の受信機は、ＵＭＴＳのための送信周波数範囲を減衰するように使用されるバンドパスフィルタを含んでよい。各受信機は、ＧＳＭおよびＵＭＴＳの両方のために使用される回路ブロックを含んでよい。【選択図】    図２
2009513065.tif 000002
【特許請求の範囲】
【請求項１】
ユニバーサルモバイル遠隔通信システム（ＵＭＴＳ）のための第一の受信機と；
モバイル通信のためのグローバルシステム（ＧＳＭ）およびＵＭＴＳのための第二の受信機と
を含んでなる装置。
【請求項２】
請求項１に記載の装置であって、前記第一の受信機が、ＵＭＴＳについての送信周波数範囲を減衰するためのバンドパスフィルタを含んでなる装置。
【請求項３】
請求項１に記載の装置であって、前記第二の受信機が、ＧＳＭおよびＵＭＴＳについて調節可能な帯域幅を有するローパスフィルタを含んでなる装置。
【請求項４】
請求項３に記載の装置であって、前記ローパスフィルタが、ＧＳＭについては１００ＫＨｚの帯域幅に設定され、ＵＭＴＳについては１．９２ＭＨｚの帯域幅に設定される装置。
【請求項５】
請求項１に記載の装置であって、前記第二の受信機は、ＧＳＭを受信するときには全バイアス電流で動作され、ＵＭＴＳを受信するときには低減されたバイアス電流で動作される装置。
【請求項６】
請求項１に記載の装置であって、前記第一の受信機はＵＭＴＳのための使用に準拠し、また前記第二の受信機はＧＳＭのための仕様に準拠している装置。
【請求項７】
請求項１に記載の装置であって：更に、
ＵＭＴＳを受信するときには前記第一の受信機を主アンテナに結合し、且つ前記第二の受信機をダイバーシティーアンテナに結合するように構成され、またＧＳＭを受信するときには前記第二の受信機を前記主アンテナに結合するように構成されたユニット
を含んでなる装置。
【請求項８】
請求項７に記載の装置であって、前記主アンテナおよびダイバーシティーアンテナは二つの異なる型のアンテナであり、前記主アンテナは前記ダイバーシティーアンテナよりも良好な特性を有する装置。
【請求項９】
請求項７に記載の装置であって、前記ユニットは、前記主アンテナを前記第一または第二の受信機に結合するように構成されたスイッチを含んでなる装置。
【請求項１０】
請求項９に記載の装置であって：前記ユニットは更に、
前記スイッチと前記第一の受信機の間に結合された送受切換え器と；
前記スイッチと前記第二の受信機の間に結合されたバンドパスフィルタ
を含んでなる装置。
【請求項１１】
請求項１に記載の装置であって、前記第二の受信機は、ＧＳＭおよびＵＭＴＳの両方のために使用されるダウンコンバータを含んでなる装置。
【請求項１２】
請求項１に記載の装置であって、前記第二の受信機は、ＧＳＭおよびＵＭＴＳの両方のために使用される低ノイズ増幅器（ＬＮＡ）を含んでなる装置。
【請求項１３】
請求項１に記載の装置であって、前記第二の受信機は、ＧＳＭおよびＵＭＴＳの両方のために使用される可変利得増幅器（ＶＧＡ）を含んでなる装置。
【請求項１４】
請求項１に記載の装置であって：更に、
前記装置のための動作条件を決定するように構成された少なくとも一つの検出器と；
前記決定された動作条件に基づいて、前記第一および第二の受信機の動作を制御するように構成されたコントローラ
を含んでなる装置。
【請求項１５】
ユニバーサルモバイル遠隔通信システム（ＵＭＴＳ）を受信するための手段と；
モバイル通信のためのグローバルシステム（ＧＳＭ）およびＵＭＴＳを、少なくとも一つの共通の回路ブロックを使用して受信するための手段
を含んでなる装置。
【請求項１６】
請求項１５に記載の装置であって、前記ＧＳＭおよびＵＭＴＳを受信するための手段が、ＧＳＭおよびＵＭＴＳのために調節可能な帯域幅を備えたフィルタリングのための手段を含んでなる装置。
【請求項１７】
請求項１５に記載の装置であって：更に、
主アンテナを、ＵＭＴＳを受信するための手段、並びにＧＳＭおよびＵＭＴＳを受信するための手段に結合するための手段
を含んでなる装置。
【請求項１８】
モバイル通信のためのグローバルシスシステム（ＧＳＭ）のための第一の受信機と；
ユニバーサルモバイル遠隔通信システム（ＵＭＴＳ）およびＧＳＭのための第二の受信機
を含んでなる装置。
【請求項１９】
請求項１８に記載の装置であって、前記第二の受信機は、ＵＭＴＳおよびＧＳＭのために調節可能であるバンド幅を有するローパスフィルタを含んでなる装置。
【請求項２０】
請求項１８に記載の装置であって、前記第一の受信機はＧＳＭのための仕様に準拠し、前記第二の受信機はＵＭＴＳのための仕様に準拠する装置。
【請求項２１】
請求項１８に記載の装置であって：更に、
ＧＳＭを受信するときには前記第一の受信機を主アンテナに結合し、且つ前記第二の受信機をダイバーシティーアンテナに結合するように構成され、またＵＭＴＳを受信するときには前記第二の受信機を前記主アンテナに結合するように構成されたユニット
を含んでなる装置。
【請求項２２】
請求項２１に記載の装置であって、前記ユニットは、前記主アンテナを前記第一または第二の受信機に結合するように構成されたスイッチを含んでなる装置。
【請求項２３】
請求項２２に記載の装置であって：前記ユニットは更に、
前記スイッチと前記第一の受信機の間に結合されたバンドパスフィルタと；
前記スイッチと前記第二の受信機の間に結合された送受切換え器
を含んでなる装置。
【請求項２４】
モバイル通信のためのグローバルシステム（ＧＳＭ）およびユニバーサルモバイル遠隔通信システム（ＵＭＴＳ）を受信するように動作する第一の受信機と；
ＵＭＴＳおよびＧＳＭを受信するように動作する第二の受信機
を含んでなり、前記第一および第二の受信機は、ＵＭＴＳおよびＧＳＭのための受信ダイバーシティーを提供するように動作する装置。
【請求項２５】
請求項２４に記載の装置であって、前記第一の受信機はＧＳＭのための仕様に準拠し、前記第二の受信機はＵＭＴＳのための仕様に準拠している装置。
【請求項２６】
請求項２５に記載の装置であって、前記第一の受信機はＵＭＴＳのための仕様に準拠しておらず、また前記第二の受信機はＧＳＭのための仕様に準拠していない装置。
【請求項２７】
請求項２４に記載の装置であって：
前記第一の受信機はＧＳＭおよびＵＭＴＳのために調節可能な帯域幅を有する第一のローパスフィルタを含んでおり、
前記第二の受信機は、ＵＭＴＳおよびＧＳＭのために調節可能な帯域幅を有する第二のローパスフィルタを含んでなる装置。
【請求項２８】
請求項２４に記載の装置であって：更に、
主アンテナを前記第一または第二の受信機に結合するように動作するスイッチと；
ダイバーシティーアンテナを前記第一または第二の受信器に結合するように動作する第二のスイッチ
を含んでなる装置。
【請求項２９】
請求項２４に記載の装置であって、前記第一および第二の受信機は複数の周波数帯域について動作可能である装置。
【請求項３０】
時間分割多重アクセス（ＴＤＭＡ）システムを受信するように動作する第一の受信機と；
コード分割多重アクセス（ＣＤＭＡ）システムを受信するように動作する第二の受信機
を含んでなり、
前記第一の受信機が更にＣＤＭＡシステムを受信するように動作し、または前記第二の受信機が更にＴＤＭＡシステムを受信するように動作し、或いは、前記第一の受信機が更にＣＤＭＡシステムを受信するように動作し、且つ前記第二の受信機が更にＴＤＭＡシステムを受信するように動作する装置。
【請求項３１】
請求項３０に記載の装置であって、前記ＴＤＭＡシステムはモバイル通信のためのグローバルシステム（ＧＳＭ）システムであり、前記ＣＤＭＡシステムは広帯域ＣＤＭＡ（Ｗ−ＣＤＭＡ）システムである装置。
【請求項３２】
請求項３０に記載の装置であって、前記ＴＤＭＡシステムはモバイル通信のためのグローバルシステム（ＧＳＭ）システムであり、前記ＣＤＭＡシステムはｃｄｍａ２０００システムである装置。
【請求項３３】
モバイル通信のためのグローバルシステム（ＧＳＭ）またはユニバーサルモバイル遠隔通信システム（ＵＭＴＳ）を、受信するように選択することと；
ＧＳＭが選択されれば、ＧＳＭを受信するように第一の受信器を可能にし、且つ第二の受信機によってサポートされるときはＧＳＭを受信するように第二の受信機を可能にすることと；
ＵＭＴＳが選択されれば、ＵＭＴＳを受信するように第二の受信機を可能にし、また前期第一の受信器によってサポートされるときはＵＭＴＳを受信数量に前記第一の受信機を可能にすること
を含んでなる方法。
【請求項３４】
請求項３３に記載の方法であって：更に、
ＧＳＭが選択されれば、前記第一の受信器を主アンテナに結合することと；
ＵＭＴＳが選択されれば、前記第二の受信機を前記主アンテナに結合すること
を含んでなる方法。
【発明の詳細な説明】
【背景】
【０００１】
Ｉ．関連出願
本出願は、２００５年１０月１９日に提出された「ＵＭＴＳおよびＧＳＭ／ＥＤＧＥドライバー受信のための複合アーキテクチャー」と題する、本願の譲渡人に譲渡された米国仮出願第６０／７２８，０７９号の利益主張するものであり、該仮出願の全体の内容を全ての目的のために本明細書の一部として援用する。
【０００２】
ＩＩ．分野
本件の開示は、一般にはエレクトロニクスに関し、更に特定すれば、無線通信のためのダイバーシティー受信機に関する。
【０００３】
ＩＩＩ．背景
無線通信システムにおいて、送信機は、無線周波数（ＲＦ）搬送信号上でデータを変調して、送信により適したＲＦ変調信号を発生させる。次いで、送信機は、無線チャンネルを介してＲＦ変調信号を受信機に送信する。送信された信号は、１以上の伝播経路、例えばラインオブサイト経路および／または反射経路を介して受信機に到達してよい。伝播経路の特性は、フェージングおよびマルチパスのような種々の現象に起因して、経時的に変化する可能性がある。結局、送信された信号は異なるチャンネル条件を経験し、経時的に異なる振幅および／または位相で受信される可能性がある。
【０００４】
受信機は、受信されたＲＦ信号を処理して、送信機により送られたデータを回復しようと試みる。受信機の特性は受信された信号の品質に依存するが、この品質はフェージングおよびマルチパスに起因して広範に変動し得る。従って、受信機が有害な経路効果を経験したときには常に特性が悪化する。この特性における劣化は望ましくない。
【０００５】
従って、当該技術においては、有害な経路効果の存在下で良好な特性を達成できる受信機が必要とされている。
【発明の概要】
【０００６】
コード分割多重アクセス（ＣＤＭＡ）システムおよび時間分割多重アクセス（ＴＤＭＡ）システムを受信でき、少なくとも一つのシステムについて受信ダイバーシティーを備えたダイバーシティー受信機がここに記述される。受信ダイバーシティーとは、有害な経路効果に対抗するダイバーシティーを提供するために、複数のアンテナを用いた送信の受信を意味する。ＴＤＭＡシステムは、モバイル通信のためのグローバルシステム（ＧＳＭ）システム、または他の幾つかのＴＤＭＡシステムであってよい。ＣＤＭＡシステムは、広帯域ＣＤＭＡ（Ｗ−ＣＤＭＡ）システム、ｃｄｍａ２０００システム、または幾つかの他のＣＤＭＡシステムであってよい。Ｗ−ＣＤＭＡは、ユニバーサルモバイル遠隔通信システム（ＵＭＴＳ）で使用され、またそのように称されることも多い。
【０００７】
一実施形態において、ダイバーシティー受信機は、ＧＳＭのための第一の受信機およびＵＭＴＳのための第二の受信機を含む。第一の受信機は、第一の受信機設計で実施されてよく、ＧＳＭのための仕様に準拠してよく、またＵＭＴＳをもサポートするものであってよい。第二の受信機は第二の受信機設計で実施されてよく、ＵＭＴＳのための仕様に準拠してよく、またＧＳＭをもサポートするものであってよい。第一の受信機は、ＧＳＭまたはＵＭＴＳのために設定されてよい調節可能な帯域幅を有するローパスフィルタを含んでよい。第二の受信機は、ＵＭＴＳのための送信周波数範囲を減衰するために使用されるバンドパスフィルタを含んでいてよい。各受信機は、ＧＳＭおよびＵＭＴＳの両方のために使用される回路ブロックを含んでよく、これは複雑さ、コストおよび回路面積を低減する可能性がある。
【０００８】
一実施形態において、スイッチおよびフィルタユニットは、ＧＳＭを受信するときには第一の受信機を主アンテナに結合し、またＵＭＴＳを受信するときには第二の受信機を主アンテナに結合する。第一の受信機がＵＭＴＳをもサポートするならば、前記スイッチおよびフィルタユニットは、ＵＭＴＳを受信するときに前記第一の受信機を前記ダイバーシティーアンテナに結合する。第二の受信機がＧＳＭをもサポートするならば、前記スイッチおよびフィルタユニットは、ＧＳＭを受信するときに前記第二の受信機を前記ダイバーシティーアンテナに結合する。前記スイッチおよびフィルタユニットはまた、ＧＳＭおよびＵＭＴＳのためのフィルタリングも行ってよい。
【０００９】
本発明の種々の側面および実施形態を、以下で更に詳細に説明する
【詳細な説明】
【００１０】
ここに記載のダイバーシティー受信機は、ＣＤＭＡシステム、ＴＤＭＡシステム、周波数分割多重アクセス（ＦＤＭＡ）システム、直交ＦＤＭＡ（ＯＦＤＭＡ）システム等のような種々の無線通信システムのために使用されてよい。ＣＤＭＡシステムは、Ｗ−ＣＤＭＡ、ｃｄｍａ２０００等のような無線技術を実施してよい。ｃｄｍａ２０００は、ＩＳ−２０００、ＩＳ−８５６、およびＩＳ−９５標準をカバーする。ＩＳ−２０００およびＩＳ−９５は、ＣＤＭＡ２０００・１ｘ、または単純に「１ｘ」と称されることが多い。ＴＤＭＡシステムは、ＧＳＭ、デジタル・アドバンスト・モバイルフォーンシステム（Ｄ−ＡＭＰＳ）等のような無線技術を実施してよい。Ｄ−ＡＭＰＳは、ＩＳ−１３６およびＩＳ−５４を包含している。これらの種々の無線技術および標準は当該技術において知られている。Ｗ−ＣＤＭＡおよびＧＳＭは、「第三世代パートナーシップ計画」（３ＧＰＰ）と称する共同事業体からの文書に記載されている。ｃｄｍａ２０００は、「第三世代パートナーシップ計画２」（３ＧＰＰ２）と称する共同企業体からの文書に記載されている。３ＧＰＰおよび３ＧＰＰ２の文書は公的に入手可能である。
【００１１】
一般に、ここに記載するダイバーシティー受信機は、如何なる数の無線技術をサポートしてもよく、また当該技術において知られた無線技術のうちの如何なるものをサポートしてよい。明瞭化のために、以下では特にＧＳＭおよびＵＭＴＳについて該ダイバーシティー受信機を説明する。
【００１２】
図１は、公衆地上モバイルネットワーク（ＰＬＭＮ）１００を示している。「ネットワーク」および「システム」の用語は、互換的に使用されることが多い。ＵＭＴＳネットワーク１２０は、Ｗ−ＣＤＭＡを実施し、従ってＵＭＴＳ地上無線アクセスネットワーク（ＵＴＲＡＮ）とも称される。「ＵＭＴＳ」および「Ｗ−ＣＤＭＡ」の用語は、以下の説明では互換的に使用される。ＧＳＭネットワーク１１０およびＵＭＴＳネットワーク１２０は、異なる無線技術（ＧＳＭおよびＷ−ＣＤＭＡ）を用いるが、同じサービスプロバイダまたはネットワークオペレータに属する二つの無線ネットワークである。
【００１３】
ＧＳＭネットワーク１１０は、ＧＳＭネットワークの受信可能領域内にある端末と通信するベースステーション１１２を含んでいる。ベースステーションは、端末と通信する固定されたステーションであり、ノードＢ、ベーストランシーバステーション（ＢＴＳ）、アクセスポイント等と称されてもよい。モバイル交換センター（ＭＳＣ）１１４は、ベースステーション１１２に接続されて、これらベースステーションのための協調および制御を提供する。ＵＭＴＳネットワーク１２０は、ＵＭＴＳネットワークの受信可能領域内にある端末と通信するベースステーション１２２を含んでいる。無線ネットワークコントローラ（ＲＮＣ）１２４は、ベースステーション１２２に接続されて、これらベースステーションのための協調および制御を提供する。ＲＮＣ１２４は、ＭＳＣ１１４と通信して、ＧＳＭネットワークとＵＭＴＳネットワークの間の連携動作をサポートする。
【００１４】
端末１５０は、何れか与えられた瞬間で典型的には一つの無線ネットワークを用いて、ＧＳＭネットワーク１１０およびＵＭＴＳネットワーク１２０と通信することができる。この能力は、ユーザが同じ端末を用いて、ＵＭＴＳの特性上の利点およびＧＳＭのカバー範囲の利益を得ることを可能にする。端末１５０は、固定式でもモバイル式でもよく、またユーザ装置（ＵＥ）、モバイルステーション（ＭＳ）、モバイル装置（ＭＥ）等と称されてもよい。端末１５０は、携帯電話、パーソナルデジタルアシスタント（ＰＤＡ）、無線モデム、無線通信装置、手持ち型装置、加入者ユニット等であってよい。
【００１５】
端末１５０は、無線通信のために共通に使用される１以上の周波数帯域上で動作するように設計されてよい。表１は、ＵＭＴＳおよびＧＳＭのために共通に使用される周波数帯域、並びに各帯域についてのアップリンク／送信周波数範囲およびダウンリンク／受信周波数範囲を列記している。
【表１】
2009513065.tif 000003
【００１６】
図２は、ＵＭＴＳについての受信ダイバーシティーを伴って、ＧＳＭおよびＵＭＴＳを受信できる端末１５０ａのブロック図を示している。端末１５０ａは、図１における端末１５０の一実施形態である。この実施形態において、端末１５０ａは二つのアンテナ２１０ａおよび２１０ｂ、並びに二つの受信機２３０ａおよび２３０ｂを含んでいる。この二つのアンテナ２１０ａおよび２１０ｂは、種々の方法で形成されてよい。一実施形態において、アンテナ２１０ａは双極子アンテナ（例えば携帯電話のために屡々使用されるプルアウトアンテナ）であり、より良好な特性（例えば、より高いアンテナ利得）を有し、主アンテナとして指定される。一実施形態において、アンテナ２１０ｂは、回路基板上に印刷されたトレースを用いて形成されたパッチアンテナであり、低い特性（例えば、低いアンテナ利得）を有し、ダイバーシティーもしくは副アンテナとして指定される。他の実施形態において、アンテナ２１０ａおよび２１０ｂは、当該技術において知られたワイヤ導電体、印刷されたトレース等を用いて他の方法で形成されてよい。
【００１７】
アンテナ２１０ａは、ＧＳＭおよびＵＭＴＳネットワークにおいてベースステーションにより送信されたＲＦ変調された信号を受信し、送信されたＲＦ変調信号のバージョンを含む主受信信号（Ｐｒｘ）を与える。同様に、アンテナ２１０ｂはＲＦ変調信号を受信して、送信されたＲＦ変調信号の異なるバージョンを含むダイバーシティー受信信号（Ｄｒｘ）を与える。スイッチおよびフィルタユニット２２０は，ＰｒｘおよびＤｒｘ信号を受信し、各受信信号をフィルタして帯域外の成分を除去し、一つの受信信号を第一のＲＦ入力信号（Ｓｉｎ１）として受信器２３０ａに提供し、また他の受信信号を第二のＲＦ入力信号（Ｓｉｎ２）として受信機２３０ｂに提供する。スイッチおよびフィルタユニット２２０の幾つかの設計を以下に記載する。
【００１８】
図２に示した実施形態において，受信器２３０ａはＵＭＴＳのための主受信機であり、ＵＭＴＳのための良好な特性を提供するように設計される。受信機２３０ｂはＧＭＳのための主受信機であり，ＧＳＭのための良好な特性を提供するように設計される。各受信機２３０は、その指定されたシステムのための適用可能な要件に合致するように設計されてよく、また全ての動作条件において、例えば特定範囲の受信信号レベルに亘って、当該システムのために使用されてよい。該システム要件は、線形性、ダイナミックレンジ、感度，帯域外拒絶等に関するものであってよい。受信機２３０ｂはまた、ＵＭＴＳのための副受信機であるが、ＵＭＴＳの仕様に準拠しなくてよい。受信機２３０ａおよび２３０ｂの幾つかの設計を以下に説明する。以下の説明において、「ＧＳＭ／ＵＭＴＳ」は、ＧＳＭが主（例えば仕様に準拠する）であり、ＵＭＴＳが副（例えばサポートされるが仕様に準拠しない）であることを意味する。同様に、「ＵＭＴＳ／ＧＳＭ」は、ＵＭＴＳが主でＧＳＭが副であることを意味する。ここで使用される「仕様に準拠する」とは、適用可能なシステム要件に従うことを意味し、また「仕様に準拠しない」とは、適用可能なシステム要件の全てに完全に従うものでないことを意味する。
【００１９】
受信機２３０ａは、Ｓｉｎ１信号を処理して、第一の出力ベースバンド信号（Ｓｏｕｔ１）をアナログ−デジタル変換器（ＡＤＣ）２４０ａに与える。同様に、受信機２３０ｂは、Ｓｉｎ２信号を処理して、第二の出力ベースバンド信号（Ｓｏｕｔ２）をＡＤＣ２４０ｂに与える。ＡＤＣ２４０ａは、Ｓｏｕｔ１信号をデジタル化して、データサンプルの第一のストリームを更なる処理のためにデータプロセッサ２５０に与える。ＡＤＣ２４０ｂは、Ｓｏｕｔ２信号をデジタル化して、データサンプルの第一のストリームをデータプロセッサ２５０に与える。単純化のために図２には示されていないが、各出力ベースバンド信号および各データサンプルストリームは、インフェーズ（Ｉ）成分および直交（Ｑ）成分を有する複合信号／ストリームであってよい。
【００２０】
図２に示した実施形態において、信号検出器２５２は、興味あるＲＦチャンネル内の信号である望ましい信号のレベルを測定する。この望ましい信号検出は、当該技術で知られた種々の方法で行われてよい。例えば、適切な振幅の出力ベースタンド信号がＡＤＣに提供されるように、典型的には自動利得制御（ＡＧＣ）ループを使用して、当該受信機内の可変利得増幅器（ＶＧＡ）の利得が調節される。これらＶＧＡのための利得制御信号は望ましい信号レベルを示し、また該レベルにマップされてよい。図２には示されていないが、ジャマー検出器が、望ましい信号の近傍にある振幅の大きい望ましくない信号であるジャマーの存在を検出してよい。このジャマー検出器は、ジャマーが存在するか否かを示す状態信号を提供する。信号検出器およびジャマー検出器からの出力は、受信機２３０ａおよび２３０ｂの動作を制御するために使用されてよい。
【００２１】
コントローラ／プロセッサ２６０は、端末１５０ａにおける種々のユニットの動作を指令する。コントローラ／プロセッサ２６０は、何れのシステム（例えばＵＭＴＳまたはＧＳＭ）が受信されているかに依存して、受信機２３０ａおよび２３０ｂへのＰｒｘおよびＤｒｘ信号のルーティングを制御してよい。コントローラ／プロセッサ２６０は更に、受信されているシステムについて、受信器２３０ａおよび２３０ｂ並びにデータプロセッサ２５０の動作を制御してよい。メモリー２６２は、端末１５０ａのためにプログラムコードおよびデータを保存する。
【００２２】
ダイバーシティーを伴ってＵＭＴＳを受信するために、主アンテナ２１０ａはＵＭＴＳ受信機２３０ａに結合され、ダイバーシティーアンテナ２１０ｂはＧＳＭ／ＵＭＴＳ受信機２３０ｂに結合される。両方の受信機２３０ａおよび２３０ｂは稼動中であり、それぞれアンテナ２１０ａおよび２１０ｂから受信された信号を処理する。ダイバーシティーを伴わずにＧＳＭを受信するためには、主アンテナ２１０ａはＧＳＭ／ＵＭＴＳ受信機２３０ｂに結合され、該受信機はアンテナ２１０ａからの受信された信号を処理する。ＵＭＴＳ受信機２３０ａは、電力を節約するために電源を切断されてもよい。
【００２３】
図３は、ＧＳＭについての受信ダイバーシティーを伴って、ＧＳＭおよびＵＭＴＳを受信することができる端末１５０ｂのブロック図を示している。端末１５０ｂは、図１における端末１５０のもう一つの実施形態である。この実施形態において、端末１５０ｂは、受信機２３０ａおよび２３０ｂがそれぞれ受信機３３０ａおよび３３０ｂで置換えられていることを除き、図２における端末１５０ａの全てのユニットを含んでいる。受信機３３０ａは、ＧＳＭのための主受信器であり、ＧＳＭの仕様に準拠するように設計されてよい。受信機３３０ｂは、ＵＭＴＳのための主受信器であり、ＵＭＴＳの仕様に準拠するように設計されてよい。受信機３３０ｂはまた、ＧＳＭのための副受信機であり、ＧＳＭの仕様に準拠してよく、または準拠しなくてもよい。受信機３３０ａおよび３３０ｂの幾つかの設計を以下で説明する。
【００２４】
ダイバーシティーを伴ってＧＳＭを受信するために、主アンテナ２１０ａはＧＳＭ受信機３３０ａに結合され、またダイバーシティーアンテナ２１０ｂはＵＭＴＳ／ＧＳＭ受信機３３０ｂに結合される。両方の受信機３３０ａおよび３３０ｂは稼動中であり、それぞれアンテナ２１０ａおよび２１０ｂからの受信された信号を処理する。ダイバーシティーを伴わずにＧＳＭを受信するためには、主アンテナ２１０ａはＵＭＴＳ／ＧＳＭ受信機３３０ｂに結合され、該受信機はアンテナ２１０ａからの受信された信号を処理する。ＧＳＭ受信機３３０ａは、電力を節約するために電源を切断されてもよい。
【００２５】
図４は、ＧＳＭおよびＵＭＴＳの両方についての受信ダイバーシティーを伴って、ＧＳＭおよびＵＭＴＳを受信できる端末１５０ｃのブロック図を示している。端末１５０ｃは、図１における端末１５０の更にもう一つの実施形態である。この実施形態において、端末１５０ｃは、受信機２３０ａおよび２３０ｂがそれぞれ受信機４３０ａおよび４３０ｂで置換えられていることを除き、図２における端末１５０ａの全てのユニットを含んでいる。受信機４３０ａは、ＧＳＭのための主受信器であり、ＧＳＭの仕様に準拠するように設計されてよい。受信機４３０ｂは、ＵＭＴＳのための主受信器であり、ＵＭＴＳの仕様に準拠するように設計されてよい。受信機４３０ａはまた、ＵＭＴＳのための副受信機であり、ＵＭＴＳの仕様に準拠してもよく、または準拠しなくてもよい。受信機４３０ｂはまた、ＧＳＭのための副受信機であり、ＧＳＭの仕様に準拠してもよく、または準拠しなくてもよい。受信機４３０ａおよび４３０ｂの幾つかの設計を以下で説明する。
【００２６】
ダイバーシティーを伴ってＧＳＭを受信するために、主アンテナ２１０ａはＧＳＭ／ＵＭＴＳ受信機４３０ａに結合され、またダイバーシティーアンテナ２１０ｂはＵＭＴＳ／ＧＳＭ受信機４３０ｂに結合される。両方の受信機４３０ａおよび４３０ｂは稼動中であり、それぞれアンテナ２１０ａおよび２１０ｂからの受信された信号を処理する。ダイバーシティーを伴ってＵＭＴＳを受信するために、主アンテナ２１０ａはＵＭＴＳ／ＧＳＭ受信機４３０ｂに結合され、またダイバーシティーアンテナ２１０ｂはＧＳＭ／ＵＭＴＳ受信機４３０ａに結合される。両方の受信機４３０ａおよび４３０ｂは稼動中であり、それぞれアンテナ２１０ａおよび２１０ｂからの受信された信号を処理する。
【００２７】
図５は、受信機５３０の一実施形態のブロック図を示している。受信機５３０は、ＧＳＭのための主受信機として使用されてよく、またＵＭＴＳを受信するように設計されてもよい。受信機５３０は、ＧＳＭ／ＵＭＴＳ受信機２３０ｂ、図３におけるＧＳＭ受信機３３０ａ、および図４におけるＧＳＭ／ＵＭＴＳ受信機４３０ａのために使用されてよい。
【００２８】
受信機５３０内において、低ノイズ増幅器（ＬＮＡ）５３２は、固定利得もしくは可変利得でＲＦ入力信号（Ｓｉｎ＿ａ）を受信および増幅して、増幅された信号を与える。このＳｉｎ＿ａ信号は、図２〜図４におけるＳｉｎ１またはＳｉｎ２信号であってよい。ダウンコンバータ５３６は、ＬＯ発生器５３８からの局部発振器（ＬＯ）信号を用い、増幅された信号の周波数をダウンコンバートして、ダウンコンバートされた信号を与える。ＬＯ信号の周波数は、興味あるＲＦチャンネルにおける信号成分が、ベースバンドまたはベースバンド近傍にまでダウンコンバートされるように選択される。ＧＳＭについて、周波数帯域は多くのＲＦチャンネルを包含し、各ＲＦチャンネルは２００ＫＨｚの帯域幅を有する。ＵＭＴＳについて、周波数帯域はまた、多くのＲＦチャンネルを包含する。各ＲＦチャンネルは３．８５ＭＨｚの帯域幅を有するが、ＲＦチャンネル間の間隔は５ＭＨｚである。
【００２９】
ローパスフィルタ（ＬＰＦ）５４０は、ダウンコンバートされた信号をフィルタして、興味あるＲＦチャンネルにおける信号成分を通過させ、またダウンコンバージョンプロセスにより生じ得るノイズおよび望ましくない信号を除去する。ローパスフィルタ５４０は、ジャマーを減衰させるために相対的に鋭いロールオフをもたせて設計されてよい。これらのジャマーは、それらが充分に減衰されなければ、後に続くＡＤＣのダイナミックレンジの大きな部分を占める可能性がある。ローパスフィルタ５４０は、適切なフィルタ順序および帯域幅を備えた種々のタイプのフィルタ（バターワース型、楕円型、チェビシェフ型等）を用い、線形性およびダイナミックレンジ要件に合致する充分なバイアス電流で実施されてよい。ローパスフィルタ５４０は、フィルタされたベースバンド信号を提供する。ＶＧＡ５４２は、このフィルタされたベースバンド信号を増幅およびバッファーして出力ベースバンド信号（Ｓｏｕｔ＿ａ）を与えるが、これは図２〜図４におけるＳｏｕｔ１信号またはＳｏｕｔ２信号であってよい。
【００３０】
一実施形態において、受信機５３０は、ＧＳＭのみを受信するために使用される。この実施形態において、受信機５３０における回路ブロックは、ＧＳＭのための特に設計されてよい。ローパスフィルタ５４０は、ＧＳＭ・ＲＦチャンネルのための固定された帯域幅を有してよい。ＬＯ発生器５３８は、サポートされたＧＳＭ・ＲＦチャンネルの何れか一つにおいてＬＯ信号を提供してよい。該回路ブロックは、ＧＳＭのための必要な線形性およびダイナミックレンジを提供するように設計されてよい。
【００３１】
もう一つの実施形態において、受信器５３０は、ＧＳＭおよびＵＭＴＳの両方を受信するために使用される。この実施形態において、受信機５３０における回路ブロックはＧＳＭのための仕様に準拠するように設計されてよく、更にＵＭＴＳを受信できるように設計されてよい。ローパスフィルタ５４０は、ＧＳＭを受信するときには一つのＧＳＭ・ＲＦチャンネルのために１００ＫＨｚの、またはＵＭＴＳを受信するときは一つのＵＭＴＳ・ＲＦチャンネルのために１．９２ＭＨｚの、調節できる帯域幅を有する調整可能なフィルタであってよい。このフィルタの帯域幅は、ＲＦチャンネル帯域幅の半分である。ＬＯ発生器５３８は、サポートされたＧＳＭおよびＵＭＴＳ・ＲＦチャンネルの何れか一つにおいてＯＬ信号を提供してよい。
【００３２】
図６は、受信器６３０の一実施例のブロック図を示している。受信機６３０は、ＵＭＴＳのための主受信機として使用されてよく、またＧＳＭを受信するように設計されてよい。受信機６３０は、図２におけるＵＭＴＳ受信機２３０ａ、図３におけるＵＭＴＳ／ＧＳＭ受信機３３０ｂ、および図４におけるＵＭＴＳ／ＧＳＭ受信機４３０ｂとして使用されてよい。
【００３３】
受信機６３０内において、ＬＮＡ６３２は、ＲＦ入力信号（Ｓｉｎ＿ｂ）を固定利得または可変利得で受信および増幅し、増幅された信号を与える。Ｓｉｎ＿ｂ信号は、図２〜４におけるＳｉｎ１またはＳｉｎ２信号であってよい。
【００３４】
バンドパスフィルタ（ＢＰＦ）６３４は、増幅された信号をフィルタして、興味ある帯域における信号成分を通過させ、帯域外のノイズおよび望ましくない信号を除去する。ＵＭＴＳは、表１に示したように、二つの周波数範囲で信号が同時に送受信され得る全二重システムである。従って、一つの端末は、アップリンク上でＲＦ変調信号を送信し、同時にダウンリンク上でＲＦ入力信号を受信する。端末によって送信されるＲＦ変調信号は、典型的には、受信されるＲＦ入力信号よりも振幅が遥かに大きい。バンドパスフィルタ６３４は、全体の受信周波数範囲（例えばセル帯域のための８６９〜８９４ＭＨｚ）についてのＲＦ成分を通過させてよく、また送信周波数範囲（例えばセル帯域のための８２４〜８４９ＭＨｚ）についてのＲＦ成分を抑制してよい。バンドパスフィルタ６３４は、興味ある帯域の全体の周波数範囲に対応する通過帯域を有してよい。送信および受信信号レベルにおける潜在的に大きな差の故に、バンドパスフィルタ６３４は、システム要件を満たすために大量の帯域外拒絶を与える。バンドパスフィルタ６３４は表面音波（ＳＡＷ）フィルタを実装してよく、これは鋭いロールオフを有し、帯域外信号の大きな減衰を必要とする適用のために普通に使用される。バンドパスフィルタ６３４はまた、セラミックフィルタまたは幾つかの他の種類のフィルタを用いて実現されてよい。バンドパスフィルタ６３４は省略されてもよい。
【００３５】
ダウンコンバータ６３６、ＬＯ発生器６３８、ローパスフィルタ６４０、およびＶＧＡ６４２は、図５について説明した方法で、バンドパスフィルタ６３４からのフィルタされた信号を処理してよい。ＶＧＡ６４２は出力ベースバンド信号（Ｓｏｕｔ＿ｂ）を提供し、これは図２〜４におけるＳｏｕｔ１またはＳｏｕｔ２であってよい。
【００３６】
一実施形態において、受信機６３０はＵＭＴＳのみを受信するために使用される。この実施形態では、受信機６３０における回路ブロックは、ＵＭＴＳのために特に設計されてよい。ローパスフィルタ６４０は、一つのＵＭＴＳ・ＲＦチャンネルのための固定帯域幅を有してよい。もう一つの実施形態では、受信機６３０は、ＵＭＴＳおよびＧＳＭの両方を受信するために使用される。この実施形態において、受信機６３０における回路ブロックは、ＵＭＴＳのための仕様に準拠し、更にＧＳＭを受信できるように設計されてよい。ローパスフィルタ６４０は、ＵＭＴＳを受信するときの一つのＵＭＴＳ・ＲＦチャンネルおよびＧＳＭを受信するときの一つのＧＳＭ・ＲＦチャンネルのための、調節可能な帯域幅を有する調整可能なフィルタであってよい。
【００３７】
図５および図６は、二つの受信機設計のための特別な設計を示している。一般に、受信機は超ヘテロダインアーキテクチャまたはダイレクト・ツー・ベースバンドアーキテクチャを実装してよい。超ヘテロダインアーキテクチャにおいて、ＲＦ入力信号は多段階で周波数ダウンコンバートされる。例えば、ＲＦから一段階で中間周波数（ＩＦ）へダウンコンバートされ、次いでもう一つの段階でＩＦからベースバンドへとダウンコンバートされる。図５および図６に示されているダイレクト・ツー・ベースバンドアーキテクチャにおいては、ＲＦ入力信号は一段階で、ＲＦから直接ベースバンドへと周波数ダウンコンバートされる。超ヘテロダインアーキテクチャおよびダイレクト・ツー・ベースバンドアーキテクチャは異なる回路ブロックを使用してよく、および／または異なる回路要件を有してよい。
【００３８】
一般に、受信機は、１以上の段階の増幅器、フィルタ、ミキサ等を用いて信号のコンディショニングを行ってよい。受信機は、図５および図６に示されていない異なる回路ブロックおよび／または追加の回路ブロックを含んでよい。例えば、ダウンコンバータ５３６および６３６の前に、追加の増幅器が挿入されてよい。更に、回路ブロックは、図５および図６に示した配置とは異なるように配置されてよい。例えば、ローパスフィルタ５４０および６４０は、それぞれＶＧＡ５４２および６４２と交換されてよい。
【００３９】
図７Ａは、図２〜図４におけるユニット２２０の実施形態であるスイッチおよびフィルタユニット２２０ａのブロック図を示している。ユニット２２０ａ内において、ＲＦスイッチ７１２ａは、主アンテナに２１０ａに結合されたその入力、ＧＳＭ送信機に結合された第一の出力、送受切換え器７１４に結合された第二の出力、およびバンドパスフィルタ７１６に結合された第三の出力を有する。ＲＦスイッチ７１２ｂは、ダイバーシティーアンテナ２１０ｂに結合されたその入力、送受切換え器７１４に結合された第一の出力、およびバンドパスフィルタ７１６に結合された第二の出力を有している。送受切換え器７１４は、ＵＭＴＳ送信機に結合されたもう一つの入力、および受信機６３０に結合された出力を有している。バンドパスフィルタ７１６は、ＲＦスイッチ７１２ａまたは７１２ｂから受信されたＲＦ信号をフィルタし、興味ある帯域中の信号成分を通過させて、受信機５３０へのＲＦ入力信号を与える。バンドパスフィルタ７１６は、興味ある帯域についての全体の受信周波数範囲を通過させてよく、また表１に示したように、周波数帯域に応じて１０〜７５ＭＨｚの帯域幅を有してよい。バンドパスフィルタ７１６は、ＳＡＷフィルタ、セラミックフィルタ、または他の何らかの種類のフィルタを用いて実施されてよい。
【００４０】
ＵＭＴＳは、信号が異なる周波数範囲で同時に送信および受信される全二重システムである。ＵＭＴＳを送信および／受信するために、ＲＦスイッチ７１２ａは、主アンテナ２１０ａを送受切換え器７１４に結合する。送受切換え器７１４は、ＵＭＴＳ送信機からのＲＦ変調信号を主アンテナ２１０ａに転送し、更に、主アンテナから受信されたＲＦ信号をＵＭＴＳ受信機６３０へと転送する。送受切換え器７１４はまた、受信されたＲＦ信号のフィルタリングを実行する。ＲＦスイッチ７１２ｂは、ダイバーシティーアンテナ２１０ｂをバンドパスフィルタ７１６に結合する。受信機６３０は、ダイバーシティーアンテナ２１０ｂからのＰｒｘ信号を処理し、ＵＭＴＳのためのダイバーシティー出力ベースバンド信号（ＤＲＸ・ＵＭＴＳ）を与える。
【００４１】
ＧＳＭは、信号が異なる時間間隔で送信および受信される半二重システムである。ＧＳＭを送信／受信するために、ＲＦスイッチ７１２ａは適切なときに、ＧＳＭ送信機とＧＳＭ受信機５３０用バンドパスフィルタ７１６の間に主アンテナ２１０ａを結合させる。ＲＦスイッチ７１２ｂは、ダイバーシティーアンテナ２１０ｂを送受切換え器７１４に結合する。受信機５３０は、主アンテナ２１０ａからのＰｒｘ信号を処理して、ＧＳＭのための主出力ベースバンド信号（ＰＲＸ・ＧＳＭ）を与える。受信機６３０は、ダイバーシティーアンテナ２１０ａからのＤｒｘ信号を処理して、ＧＳＭのためのダイバーシティー出力ベースバンド信号（ＤＲＸ・ＧＳＭ）を与える。
【００４２】
図７Ｂは、図２〜図４におけるユニット２２０のもう一つの実施形態であるスイッチおよびフィルタユニット２２０ｂのブロック図を示している。ユニット２２０ｂ内において、ＲＦスイッチ７１２ｃは、主アンテナ２１０ａに結合されたその入力、ＧＳＭ送信機に結合された第一の出力、および送受切換え器７１４に結合された第二の出力を有している。ダイバーシティーアンテナ２１０ｂは、バンドパスフィルタ７１６に直接結合されている。
【００４３】
ＵＭＴＳを送信／受信するために、ＲＦスイッチ７１２ｃは主アンテナ２１０ａを送受切換え器７１４に結合し、該切換え器はＵＭＴＳ送信機および主受信機７３０ａを主アンテナに結合する。受信機７３０ａは、主アンテナ２１０ａからのＰｒｘ信号を処理して、ＰＲＸ・ＵＭＴＳを与える。受信機７３０ｂは、ダイバーシティーアンテナ２１０ｂからのＤｕｘ信号を処理して、ＤＲＸ・ＵＭＴＳを与える。ＧＳＭを送信／受信するために、ＲＦスイッチ７１２ｃは、適切なときに主アンテナ２１０ａをＧＳＭ送信機および送受切換え器７１４の間に結合し、該切換え器はＵＭＴＳ送信機および主受信機７３０ａを主アンテナに結合する。受信機７３０ａは、Ｐｒｘ信号を処理してＰＲＸ・ＧＳＭを与える。受信機７３０ｂは、Ｄｒｘ信号をＤＲＸ・ＧＳＭを与える。
【００４４】
図７Ａおよび図７Ｂに示した実施形態において、送受切換え器７１４は、受信されたＲＦ信号をＵＭＴＳおよびＧＳＭの両方のために通過させ、バンドパスフィルタ７１６もまた、受信されたＲＦ信号をＵＭＴＳおよびＧＳＭの両方のために通過させる。図７Ａに示した実施形態において、受信機６３０は、ＵＭＴＳのための主受信機およびＧＳＭのためのダイバーシティー受信機であり、また受信機５３０は、ＧＳＭのための主受信機およびＵＭＴＳのためのダイバーシティー受信機である。受信機６３０は、ＵＭＴＳのための仕様に準拠してよく、また受信機５３０はＧＳＭのための仕様に準拠してよい。図７Ｂに示した実施形態において、受信機７３０ａはＵＭＴＳおよびＧＳＭの両方のための主受信機であり、７３０ｂは、ＵＭＴＳおよびＧＳＭの両方のためのダイバーシティー受信機である。受信機７３０ａは、ＵＭＴＳおよびＧＳＭの両方のための仕様に準拠してよい。
【００４５】
図８Ａは、スイッチおよびフィルタユニット２２０ｃのブロック図を示しており、これは図２〜図４におけるユニット２２０の更にもう一つの実施形態である。ユニット２２０ｃは三つの周波数帯域上での動作をサポートするが、これら周波数帯域は表１に列記した何れか、および／または他の周波数帯域であってよい。ユニット２２０ｃ内において、ＲＦスイッチ８１２ａは、主アンテナ２１０ａに結合されたその入力、二つの周波数帯域のための二つのＧＳＭ送信機に結合された二つの出力、三つの周波数帯域のための送受切換え器８１４ａ、８１４ｂおよび８１４ｃに結合された他の三つの出力、並びに三つの周波数帯域のためのバンドパスフィルタ（ＢＰＦ）８１８ａ、８１８ｂおよび８１８ｃに結合された更に他の三つの出力を有している。ＲＦスイッチ８１２ｂは、ダイバーシティーアンテナ２１０ｂに結合されたその入力、並びに三つの周波数帯域のためのバンドパスフィルタ８１６ａ、８１６ｂおよび８１６ｃに結合された三つの出力を有している。
【００４６】
与えられた望ましい周波数帯域上でＵＭＴＳを送信／受信するために、ＲＦスイッチ８１２ａは、主アンテナ２１０ａを、望ましい周波数帯域のための送受切換え器８１４に結合し、該切換え器はＵＭＴＳ送信機および受信機８３０ａを主アンテナに結合する。ＲＦスイッチ８１２ｂは、ダイバーシティーアンテナ２１０ｂを、望ましい周波数帯域のためのバンドパスフィルタ８１６に結合し、該フィルタは更に受信機８３０ｂに結合される。受信機８３０ａは、主アンテナ２１０ａからのＰｒｘ信号を処理して、ＰＲＸ・ＵＭＴＳを与える。受信機８３０ｂは、ダイバーシティーアンテナ２１０ｂからのＤｒｘ信号を処理して、ＤＲＸ・ＵＭＴＳを与える
与えられた望ましい周波数帯域上でＧＳＭを送信／受信するために、ＲＦスイッチ８１２ａは、主アンテナ２１０ａを、ＧＳＭ送信機と望ましい周波数帯域のためのバンドパスフィルタ８１８の間に結合する。ＲＦスイッチ８１２ｂは、ダイバーシティーアンテナ２１０ｂを、望ましい周波数帯域のためのバンドパスフィルタ８１６に結合する。受信機８３０ｂは、主アンテナ２１０ａからのＰｒｘ信号を処理してＰＲＸ・ＧＳＭを与える。受信機８３０ａは、ダイバーシティーアンテナ２１０ｂからのＤｒｘ信号を処理してＤＲＸ・ＧＳＭを与える。
【００４７】
図８Ｂは、スイッチおよびフィルタユニット２２０ｄのブロック図であり、これは図２〜図４におけるユニット２２０の更にもう一つの実施形態である。ユニット２２０ｄは四つの周波数帯域上での動作をサポートするが、該帯域は表１に列記したものの何れか、および／または他の周波数帯域であってよい。ユニット２２０ｄ内において、ＲＦスイッチ８１２ｃは、主アンテナ２１０ａに結合されたその入力、二つの周波数帯域のための二つのＧＳＭ送信機に結合された二つの出力、および四つの周波数帯域のための送受切換え器８１４ａ、８１４ｂ、８１４ｃおよび８１４ｄに結合された他の四つの出力を有している。ＲＦスイッチ８１２ｄは、ダイバーシティーアンテナ２１０ｂに結合されたその入力、並びに四つの周波数帯域のためのバンドパスフィルタ８１６ａ、８１６ｂ、８１６ｃおよび８１６ｄに結合された四つの出力を有する。
【００４８】
与えられた望ましい周波数帯域上でＵＭＴＳを送信／受信するために、ＲＦスイッチ８１２ｃは、主アンテナ２１０ａを、望ましい周波数帯域のための送受切換え器８１４に結合し、該切換え器は、ＵＭＴＳ送信機および受信機３８０ｃを主アンテナに結合する。ＲＦスイッチ８１２ｄは、ダイバーシティーアンテナ２１０ｂを、望ましい周波数帯域のためのバンドパスフィルタ８１６に結合し、該フィルタは更に受信機８３０ｄに結合される。受信機８３０ｃは、主アンテナ２１０ａからのＰｒｘ信号を処理してＰＲＸ・ＵＭＴＳを与える。受信機８３０ｄは、ダイバーシティーアンテナ２１０ｂからのＤｒｘ信号を処理してＤＲＸ・ＵＭＴＳを与える。
【００４９】
与えられた望ましい周波数帯域上でＧＳＭを送信／受信するために、ＲＦスイッチ８１２ｃは、主アンテナ２１０ａを、ＧＳＭ送信機と望ましい周波数帯域のためのバ送受切換え器８１４の間に結合する。ＲＦスイッチ８１２ｄは、ダイバーシティーアンテナ２１０ｂを、望ましい周波数帯域のためのバンドパスフィルタ８１６に結合する。受信機８３０ｃは、主アンテナ２１０ａからのＰｒｘ信号を処理してＰＲＸ・ＧＳＭを与える。受信機８３０ｄは、ダイバーシティーアンテナ２１０ｂからのＤｒｘ信号を処理してＤＲＸ・ＧＳＭを与える。
【００５０】
図８Ａに示した実施形態において、送受切換え器８１４ａ〜８１４ｃは、ＵＭＴＳのために受信したＲＦ信号を通過させ、バンドパスフィルタ８１６ａ〜８１６ｃは、ＵＭＴＳおよびＧＳＭの両方のために受信したＲＦ信号を通過させる。受信機８３０ａは、ＵＭＴＳのための主受信機およびＧＳＭのためのダイバーシティー受信機であり、また受信機８３０ｂは、ＧＳＭのための主受信機およびＵＭＴＳのためのダイバーシティー受信機である。受信機８３０ａは、ＵＭＴＳのための仕様に半準拠してよく、また受信機８３０ｂはＧＳＭのための仕様に半準拠してよい。図８Ｂに示した実施形態において、送受切換え器８１４ａ〜８１４ｄは、受信したＲＦ信号をＵＭＴＳおよびＧＳＭの両方のために通過させ、バンドパスフィルタ８１６ａ〜８１６ｄもまた、受信したＲＦ信号をＵＭＴＳおよびＧＳＭの両方のために通過させる。受信機８３０ｃは、ＵＭＴＳおよびＧＳＭの両方のための主受信機であり、受信機８３０ｄは、ＵＭＴＳおよびＧＳＭの両方のためのダイバーシティー受信機である。受信機８３０ｃは、ＵＭＴＳおよびＧＳＭの両方のための仕様に準拠してよい。
【００５１】
図９は、ＧＳＭおよびＵＭＴＳを受信するために、端末によって行われるプロセス９００の実施形態を示している。端末は、ＧＳＭのための第一の受信機、およびＵＭＴＳのための第二の受信機を有している。第一の受信機はＵＭＴＳをサポートしてもサポートしなくてもよく、第二の受信機はＧＳＭをサポートしてもサポートしなくてもよい。該端末は、ＧＳＭおよび／またはＵＭＴＳのための受信ダイバーシティーをサポートする。
【００５２】
当該端末は、ＧＳＭまたはＵＭＴＳの何れを受信するかを選択する（ブロック９１０）。ブロック９１２で決定されるときにＧＳＭが選択されれば、ＧＳＭのための第一の受信機が主アンテナに結合されて（ブロック９２０）、ＧＳＭの受信が可能になる（ブロック９２２）。第二の受信機がＧＳＭをもサポートするならば（例えば図３および図４に示した実施形態において）、ブロック９２４において決定されるように、第二の受信機はダイバーシティーアンテナに結合されて（ブロック９２６）、ＧＳＭを受信することが可能になる（ブロック９２８）。
【００５３】
ブロック９１２で決定されるときにＵＭＴＳが選択されれば、ＵＭＴＳのための第二の受信機が主アンテナに結合され（ブロック９３０）、ＵＭＴＳを受信することが可能になる（ブロック９３２）。第一の受信機がＵＭＴＳをもサポートするならば（例えば図２および図４に示した実施形態において）、該第一の受信機はダイバーシティーアンテナに結合され（ブロック９３６）、ＵＭＴＳを受信することが可能になる（ブロック９３８）。
【００５４】
各システムのための主受信機は、典型的には仕様に準拠するように設計される。これは屡々、最悪の場合の動作条件（典型的には、低レベルの望ましい信号および大きなジャマーレベルに対応する）についての線形性およびダイナミックレンジ要件に合致するために、受信機における回路ブロックを充分なバイアス電流でバイアスすることを伴う。しかし、この最悪の場合の条件には遭遇しないことが多く、このような場合、主受信機は電力消費を低減するために低バイアス電流で動作されてよい。動作条件を確認するために、例えば望ましい信号レベルおよび／またはジャマーレベルを検出するために、１以上の検出器を使用してもよい。受信機のためのバイアス電流は、この検出された動作条件に基づいて調節されてよい。
【００５５】
受信ダイバーシティーのために二つの受信機を同時に動作させるときは、電力消費を低減するために、第二の受信機を低バイアス電流で動作させてよい。受信ダイバーシティーは、一般には、幾分相関のない主アンテナおよびダイバーシティーアンテナに依存しており、一方のアンテナが強く変動するときには、他方のアンテナは強く変動しないようになっている。従って、主アンテナが強く変動するときには、ダイバーシティーアンテナは典型的には強く変動せず、副受信機は弱くない受信された信号を処理しており、従って低バイアス電流で動作されてよい。
【００５６】
受信ダイバーシティーはまた、主受信機のための検出された動作条件に基づいて、可能または不能にされる。例えば、受信ダイバーシティーは、主受信機のための望ましい信号レベルが低いことが検出されるときは何時でも可能にされてよく、そうでなければ不能にされてよい。
【００５７】
明瞭化のために、特にＧＳＭおよびＵＭＴＳについてダイバーシティー受信機を説明してきた。該ダイバーシティー受信機はまた、他のシステムのために使用されてもよい。ダイバーシティー受信機は、（１）１以上のＴＤＭＡシステムおよび恐らくは１以上のＣＤＭＡシステムを受信するための第一の受信機、並びに（２）１以上のＣＤＭＡシステムおよび恐らくは１以上のＴＤＭＡシステムを受信するための第二の受信機を用いて設計される。ＴＤＭＡシステムは、ＧＳＭおよび／または他のＴＤＭＡシステム含んでよい。該ＣＤＭＡシステムは、Ｗ-ＣＤＭＡ、ｃｄｍａ２０００、および／または他のＣＤＭＡシステムを含んでよい。例えば、ダイバーシティー受信機は、ＧＳＭおよび１ｘの組合せ、ＵＭＴＳおよび１ｘの組合せ、ＧＳＭ、ＵＭＴＳおよび１ｘの組合せ等をサポートしてよい。図５におけるローパスフィルタ５４０および図６におけるローパスフィルタ６４０は、一つのＧＳＭ・ＲＦチャンネルについては１００ＫＨｚ、一つのＣＤＭＡ・ＲＦチャンネルについては１．９２ＭＨｚ、および／または一つの１ｘＲＦチャンネルについては６１０ＫＨｚの調節可能な帯域幅で設計されてよい。
【００５８】
ダイバーシティー受信機の全部または大部分は、１以上のＲＦ集積回路（ＲＦＩＣ）上で実現される。例えば、スイッチおよびフィルタ区画、並びに受信器は、ＳＡＷフィルタを除き、１以上のＲＦＩＣ上で実現されてよい。ダイバーシティー受信機はまた、相補型金属酸化物半導体（ＣＭＯＳ）、バイポーラ接合トランジスタ（ＢＪＴ）、バイポーラ−ＣＭＯＳ（ＢｉＣＭＯＳ）、シリコンゲルマニウム（ＳｉＧｅ）、ガリウム砒素（ＧａＡｓ）等のような種々のＩＣプロセス技術を用いて作製されてよい。また、ダイバーシティー受信機は、個別の回路部品を用いて実現されてもよい。
【００５９】
開示された実施形態のこれらまでの説明は、当業者が本発明を製造または使用することを可能にするために提供されるものである。これらの実施形態に対する種々の変形は、当業者にとって容易に明らかであろうし、ここに定義した一般的な原理は、本発明の精神または範囲を逸脱することなく、他の実施形態にも適用され得るであろう。従って、本発明はここに示した実施形態に制限されるものではなく、ここに開示した原理および新規な特徴に一致した広い範囲が与えられるべきである。
【図面の簡単な説明】
【００６０】
【図１】図１は、ＧＳＭネットワークおよびＵＭＴＳネットワークを含んだＰＬＭＮを示している。
【図２】図２は、ダイバーシティーを伴うＵＭＴＳ、およびＧＳＭを受信することができる端末を示している。
【図３】図３は、ダイバーシティーを伴うＧＳＭ、およびＵＭＴＳを受信することができる端末を示している。
【図４】図４は、ＧＳＭおよびダイバーシティーを伴うＵＭＴＳを受信できる端末を示している。
【図５】図５は、ＧＳＭのための受信機で、且つＵＭＴＳをサポートする可能性をもった受信機を示している。
【図６】図６は、ＵＭＴＳのための受信機で、且つＧＳＭをサポートする可能性をもった受信機を示している。
【図７Ａ】図７Ａは、フィルタリングおよびＲＦスイッチングを行うユニットを示している。
【図７Ｂ】図７Ｂは、フィルタリングおよびＲＦスイッチングを行うユニットを示している。
【図８Ａ】図７Ａは、多重周波数帯域について、フィルタリングおよびＲＦスイッチングを行うユニットを示している。
【図８Ｂ】図７Ｂは、多重周波数帯域について、フィルタリングおよびＲＦスイッチングを行うユニットを示している。
【図９】図９は、ＧＳＭおよびＵＭＴＳを受信するプロセスを示している。
【図１】
2009513065.tif 000004
【図２】
2009513065.tif 000005
【図３】
2009513065.tif 000006
【図４】
2009513065.tif 000007
【図５】
2009513065.tif 000008
【図６】
2009513065.tif 000009
【図７Ａ】
2009513065.tif 000010
【図７Ｂ】
2009513065.tif 000011
【図８Ａ】
2009513065.tif 000012
【図８Ｂ】
2009513065.tif 000013
【図９】
2009513065.tif 000014
【国際調査報告】
2009513065.tif 000015
2009513065.tif 000016
2009513065.tif 000017
2009513065.tif 000018